(57)【要約】【課題】  パネル部材に位置ずれが生じた場合であっても、パネル部材が損傷することを抑制することができるようにすること。【解決手段】  第１及び第２のパネル部材１１，１２は、相互に隣り合った状態で立設されるとともに、連結具１５により相互に連結されている。第１及び第２のパネル部材１１，１２は、その端面１１Ｂ，１２Ｂ側及び表面１１Ａ，１２Ａ側を開放する凹部１１Ｃ，１２Ｃをそれぞれ備えている。連結具１５は、各凹部１１Ｃ，１２Ｃ内に受容され、第１及び第２のパネル部材１１，１２に跨って位置する固定部材２４を備えている。固定部材２４の上下両端部における各パネル部材１１，１２の境界領域には、切欠部３０，３０がそれぞれ形成され、当該切欠部３０，３０により、凹部１１Ｃ，１２Ｃの形成縁が固定部材２４の上下両端部に干渉することを回避可能となる。【選択図】      図２
2006233545.tif 000002
【特許請求の範囲】
【請求項１】
相互に隣り合う第１及び第２のパネル部材に跨って位置する固定部材を備え、各パネル部材に形成された凹部に受容されて当該パネル部材を連結する連結具において、
前記固定部材は、前記凹部の形成縁に対する干渉抑制手段を第１及び第２のパネル部材の境界領域に備えていることを特徴とする連結具。
【請求項２】
相互に隣り合う第１及び第２のパネル部材を連結具により連結する連結構造において、
前記第１及び第２のパネル部材は、その端面側及び表面側を開放する凹部をそれぞれ備え、
前記連結具は、前記各凹部に受容されるとともに、各凹部間に跨って位置する固定部材を含み、この固定部材は、前記凹部の形成縁に対する干渉抑制手段を第１及び第２のパネル部材の境界領域に備えていることを特徴とするパネルの連結構造。
【請求項３】
前記第１及び第２のパネル部材は、その端面、表面及び凹部の内周面により形成されるコーナー部をそれぞれ含み、
前記干渉抑制手段は、前記コーナー部から離れるように固定部材を切り欠いて形成されていることを特徴とする請求項２記載のパネルの連結構造。
【請求項４】
前記第１及び第２のパネル部材は、各表面側で入隅を形成する方向に向けられている一方、前記固定部材は、前記入隅領域に沿う屈曲形状を備え、この屈曲部分に前記干渉抑制手段が設けられていることを特徴とする請求項２又は３記載のパネルの連結構造。
【発明の詳細な説明】
【技術分野】
【０００１】
本発明は、連結具及びこれを用いたパネルの連結構造に係り、更に詳しくは、連結具によりパネル部材の不用意な損傷を防止することができる連結具及びこれを用いたパネルの連結構造に関する。
【背景技術】
【０００２】
近時、既に居住している住宅内にリフォーム等を行うことなく設置可能な防音室が利用されている。このような防音室の壁は、複数枚のパネル部材を平面視略方形状に連結して立設することにより形成される。ここで、略同一面内で相互に隣り合うパネル部材を連結する構造として、図６に示されるタイプのものが知られている。同図において、各パネル部材５１，５１は、連結具５２を用いて連結される。この連結具５２は、各パネル部材５１，５１に跨って位置するとともに、ねじ５３，５３により固定される板状の固定部材５５からなる。各パネル部材５１，５１は、その表面側を面落ちさせて固定部材５５を受容する凹部５６，５６をそれぞれ備えており、各凹部５６，５６は、固定部材５５の端面に沿う形成縁を備えて形成されている。
【発明の開示】
【発明が解決しようとする課題】
【０００３】
しかしながら、前記連結具にあっては、図７（Ａ）及び（Ｂ）に示されるように、各パネル部材５１，５１間で上下に相対的なずれや誤差が生じた場合、同図中斜線で表す領域Ｌにおいて、前記凹部５６の形成縁と固定部材５５の端部側とが干渉し、固定部材５５の取り付けを行えなくなったり、凹部５６の形成縁が変形したりするという不都合がある。特に、パーチクルボード等比較的硬い素材によりパネル部材５１，５１を形成すると、凹部５６の上下に位置するコーナー部Ｃに割れが生じ、当該コーナー部Ｃを含む広い領域が欠け落ちて体裁を著しく損なうという不都合を招来する。
【０００４】
［発明の目的］
本発明は、このような点に着目して案出されたものであり、その目的は、パネル部材に位置ずれが生じた場合であっても、パネル部材が損傷することを抑制することができる連結具及びこれを用いたパネルの連結構造を提供することにある。
【課題を解決するための手段】
【０００５】
前記目的を達成するため、本発明は、相互に隣り合う第１及び第２のパネル部材に跨って位置する固定部材を備え、各パネル部材に形成された凹部に受容されて当該パネル部材を連結する連結具において、
前記固定部材は、前記凹部の形成縁に対する干渉抑制手段を第１及び第２のパネル部材の境界領域に備える、という構成が採用されている。
【０００６】
また、本発明のパネルの連結構造は、相互に隣り合う第１及び第２のパネル部材を連結具により連結する連結構造において、
前記第１及び第２のパネル部材は、その端面側及び表面側を開放する凹部をそれぞれ備え、
前記連結具は、前記各凹部に受容されるとともに、各凹部間に跨って位置する固定部材を含み、この固定部材は、前記凹部の形成縁に対する干渉抑制手段を第１及び第２のパネル部材の境界領域に備える、という構成も採用される。
【０００７】
本発明において、前記第１及び第２のパネル部材は、その端面、表面及び凹部の内周面により形成されるコーナー部をそれぞれ含み、
前記干渉抑制手段は、前記コーナー部から離れるように固定部材を切り欠いて形成されることが好ましい。
【０００８】
また、前記第１及び第２のパネル部材は、各表面側で入隅を形成する方向に向けられている一方、前記固定部材は、前記入隅領域に沿う屈曲形状を備え、この屈曲部分に前記干渉抑制手段が設けられる、という構成も好ましくは採用される。
【発明の効果】
【０００９】
本発明によれば、第１及び第２のパネル部材が上下方向にずれたときに、凹部の形成縁と固定部材との干渉を抑制でき、凹部の形成縁が変形したり、割れ等の損傷が生じることを回避することが可能となる。これにより、比較的硬い素材によりパネル部材を形成しても、その表面の体裁を損ねる破損が防止され、パネル部材に使用する材料選択の自由度を拡大させることが可能となる。
【００１０】
また、パネル部材に形成されるコーナー部から離れるように固定部材を切り欠くことで干渉抑制手段を形成したから、比較的負荷が集中し易いコーナー部を効果的に保護することができる他、部分的に切り欠くだけで干渉抑制手段を形成できるので、連結具による連結強度を良好に維持することが可能となる。
【００１１】
更に、固定部材を屈曲形状とし、当該屈曲部分に干渉抑制手段を設けた場合には、第１及び第２のパネル部材が入隅を形成するように配置されても、これに対応して前述と同様の効果を得ることが可能となる。
【発明を実施するための最良の形態】
【００１２】
以下、本発明の実施の形態について図面を参照しながら説明する。
【００１３】
図１には、実施形態に係る連結構造が適用されたパネル部材の部分概略斜視図が示され、図２には、その分解図が示されている。これらの図において、第１及び第２のパネル部材１１，１２は、特に限定されるものでないが、既設の住宅や建物の室内に設置される防音室の壁を形成可能に設けられている。第１及び第２のパネル部材１１，１２は、表面１１Ａ，１２Ａが同一面内に位置するように相互に隣り合った状態で立設されるとともに、各端面１１Ｂ，１２Ｂの間に数ミリ幅の隙間Ｓを介して配置されている。この隙間Ｓには、発泡体や弾性体からなる二本の充填材１３が介在されている。ここで、第１及び第２のパネル部材１１，１２の表面側には、凹部１１Ｃ，１２Ｃがそれぞれ形成され、これら凹部１１Ｃ，１２Ｃ内に各パネル部材１１，１２を相互に連結する連結具１５が受容されている。
【００１４】
前記各凹部１１Ｃ，１２Ｃは、各パネル部材１１，１２の表面側を部分的に面落ちさせることによりそれぞれ形成されるとともに、正面視で隙間Ｓを挟んで略対称となる形成縁により設けられている。従って、以下において、特に明示しない限り、図２中左側の凹部１１Ｃの構成について説明し、同図中右側の凹部１２Ｃの構成には、同一符号を付して説明を省略する。
さて、前記凹部１１Ｃは、端面１１Ｂから水平方向に延びる上側内周面１７及び下側内周面１８と、上側内周面１７及び下側内周面１８における端面１１Ｂと反対側の端部間を連結する円弧状内周面１９と、各内周面１７〜１９に連なって表面１１Ｂと略平行に位置する取付面２０とを備え、表面１１Ａ側及び端面１１Ｂ側を開放する形状に設けられている。凹部１１Ｃの上下両側には、コーナー部Ｃ，Ｃがそれぞれ形成されている。具体的には、コーナー部Ｃ，Ｃは、表面１１Ａと、端面１１Ｂと、上側内周面１７及び下側内周面１８とが交わる頂点部分からなる。なお、取付面２０の面内には、後述するねじが挿入される下穴２２が設けられている。
【００１５】
前記連結具１５は、図３にも示されるように、各凹部１１Ｃ，１２Ｃ内に受容され、第１及び第２のパネル部材１１，１２に跨って位置する固定部材２４と、この固定部材２４を各パネル部材１１，１２に取り付けるための二本のねじ２５，２５と、各凹部１１Ｃ，１２Ｃ内に受容されて固定部材２４及びねじ２５，２５を正面側から隠蔽するカバー２６とを備えて構成されている。
【００１６】
前記固定部材２４は、磁気を帯びることが可能なスチール等の金属製の板状体により形成されている。固定部材２４は、正面視横長の略小判型となる外形形状に設けられ、左右両端部が円弧状内周面１９に沿う一方、上下両端部が上側内周面１７及び下側内周面１８に対して僅かなクリアランスを生じるように形成されている。固定部材２４の面内には、前記各下穴２２，２２に対応する位置に一対の穴２８，２８が形成され、各穴２８，２８に挿通されたねじ２５，２５が下穴２２，２２にねじ込まれるようになっている。ここで、固定部材２４の上下両端部における各パネル部材１１，１２の境界領域には、干渉抑制手段として切欠部３０，３０がそれぞれ設けられている。
【００１７】
前記各切欠部３０，３０は、正面視で隙間Ｓに跨る隣接するコーナー部Ｃ，Ｃから離れるように固定部材２４の上下両端部を切り欠いて形成されている。これを更に詳述すると、切欠部３０の左右幅は、前記隙間Ｓより大きく設定されている一方、上下幅は、前記左右幅より小さく設定されている。また、切欠部３０は、固定部材２４の面内中央側に向かって次第に接近する傾斜縁を備え、正面視横長の台形状に設けられている。
【００１８】
前記カバー２６は、固定部材２４と略同一となる外形を備えた薄板状に設けられるとともに、磁力によって固定部材２４に接合可能な所定の磁性体によって形成されている。なお、カバー２６及び固定部材２４の厚みは、これらを凹部１１Ｃ，１２Ｃ内に受容させた状態で、カバー２６の表面が各パネル部材１１，１２の表面１１Ａ，１２Ａと略面一となるように設定されている。
【００１９】
以上の構成において、第１及び第２のパネル部材１１，１２を連結する場合、これらを同一面内で立設し、各凹部１１Ｃ，１２Ｃ内に固定部材２４を嵌め込む。その後、各ねじ２５，２５を固定部材２４の穴２８，２８を通じて下穴２２，２２にねじ込み、固定部材２４を凹部１１Ｃ，１２Ｃ内に取り付けた後、固定部材２４の正面側にカバー２６を磁性的に接着する。
【００２０】
この状態において、図４（Ａ）及び（Ｂ）に示されるように、仮に、第１及び第２のパネル部材１１，１２との間で上下方向に相対的にずれが生じた場合、切欠部３０の内側に前記コーナー部Ｃが入り込んで受容される。これにより、凹部１１Ｃ，１２Ｃの上側内周面１７及び下側内周面１８が固定部材２４の上下両端部に干渉することを回避することが可能となる。
【００２１】
従って、このような実施形態によれば、各パネル部材１１，１２間のずれによって固定部材２４からコーナー部Ｃに負荷が付与されることを抑制でき、当該コーナー部Ｃの変形や損傷を回避することができる。これにより、各パネル部材１１，１２において、剪断力に対する耐久性が比較的小さい素材を用いても外観を損なうことを防止でき、コスト的な負担が小さい材料を使用する等、材料選択の自由度を拡大できる。
また、仮に、固定部材２４の取り付け前に、各パネル部材１１，１２間にずれが生じた場合であっても、切欠部３０により固定部材２４とコーナー部Ｃとの干渉を回避することが可能となる。従って、各凹部１１Ｃ，１２Ｃ内に固定部材２４を難なく受容させることができ、施工性が高まるという利点を得る。
【００２２】
本発明を実施するための最良の構成、方法などは、以上の記載で開示されているが、本発明は、これに限定されるものではない。
すなわち、本発明は、特定の実施の形態に関して特に図示し、且つ、説明されているが、本発明の技術的思想及び目的の範囲から逸脱することなく、以上に述べた実施例に対し、形状、位置若しくは方向、その他の詳細な構成において、当業者が様々な変形を加えることができるものである。
従って、上記に開示した形状などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００２３】
例えば、第１及び第２のパネル部材１１，１２の向きを変えてもよく、図５に示されるように、各表面１１Ａ，１２Ａ側で入隅領域を形成するように配置してもよい。このとき、固定部材２４は、前記入隅領域に沿う平面視略Ｌ字状の屈曲形状に形成されるとともに、当該屈曲部分の上下両側を切り欠くことで切欠部３０，３０が設けられる。なお、この場合、カバー２６は前述した形状を左右に二分割した形状とされる。
【００２４】
また、前記切欠部３０の形状は、凹部１１Ｃ，１２Ｃの上側内周面１７及び下側内周面１８やコーナー部Ｃと固定部材２４の端部との干渉を抑制できる限りにおいて種々の変更が可能であり、例えば、各ねじ２５，２５間の距離と略同一の横幅となるように形成してもよい。
【図面の簡単な説明】
【００２５】
【図１】実施形態に係る連結構造が適用されたパネル部材の部分概略斜視図。
【図２】図１の分解図。
【図３】連結具を構成するカバーを省略した図１の正面図。
【図４】（Ａ）は、各パネル部材にずれが生じた場合の図３と同様の正面図であり、（Ｂ）は、同（Ａ）のＡ部拡大図。
【図５】変形例に係る図１と同様の斜視図。
【図６】従来例に係る図３と同様の正面図。
【図７】（Ａ）及び（Ｂ）は、従来例に係る図４（Ａ）及び（Ｂ）と同様の図。
【符号の説明】
【００２６】
１１・・・第１のパネル部材、１２・・・第２のパネル部材、１１Ａ，１２Ａ・・・表面、１１Ｂ，１２Ｂ・・・端面、１１Ｃ，１２Ｃ・・・凹部、１５・・・連結具、２４・・・固定部材、３０・・・切欠部（干渉抑制手段）、Ｃ・・・コーナー部
【図１】
2006233545.tif 000003
【図２】
2006233545.tif 000004
【図３】
2006233545.tif 000005
【図４】
2006233545.tif 000006
【図５】
2006233545.tif 000007
【図６】
2006233545.tif 000008
【図７】
2006233545.tif 000009